(57)【要約】【課題】長尺のベルトで多数の業務用ガス容器をひとまとめにして縛り付ける作業を一人でも可能とするベルト締結具を提供する。【解決手段】多数の業務用ガス容器１０をひとまとめにして縛り付けるためのベルト締結具１である。このベルト締結具１は、多数の業務用ガス容器１０をひとまとめにして縛り付けるための長尺ベルト８と、前記長尺ベルト８の両端部８ａ・８ｂにそれぞれ付設され、当該長尺ベルト８の両端部を着脱可能に連結する一対の連結具７ａ・７ｂと、前記長尺ベルト８の一端部に付設され、当該長尺ベルト８の一端部を前記業務用ガス容器１０のバルブ部分１１に連結する連結ワイヤ９を備える。【選択図】図１
0003220644.tif 000002
【実用新案登録請求の範囲】
【請求項１】
多数の業務用ガス容器（１０）をひとまとめにして縛り付けるための長尺ベルト（８）と、前記長尺ベルト（８）の両端部（８ａ・８ｂ）にそれぞれ付設され、当該長尺ベルト（８）の両端部（８ａ・８ｂ）を着脱可能に連結する一対の連結具（７ａ・７ｂ）と、を備えるベルト締結具において、  前記長尺ベルト（８）の一端部（８ｂ）に付設され、当該長尺ベルト（８）の一端部（８ｂ）を前記業務用ガス容器（１０）のバルブ部分（１１）に連結する連結ワイヤ（９）を備えることを特徴とするベルト締結具。
【請求項２】
請求項１に記載したベルト締結具において、  前記一対の連結具（７ａ・７ｂ）のうち、一方の連結具（７ａ）は鉤部（３ａ）を備え、他方の連結具（７ｂ）は当該鉤部（７ａ）が係合する係合孔（３ｂ）を備えることを特徴とするベルト締結具。
【請求項３】
請求項１又は請求項２に記載したベルト締結具において、  前記少なくとも一方の連結具（７ａ）は三つのスリット状長孔（Ｓ１・Ｓ２・Ｓ３）を備え、それらのスリット状長孔（Ｓ１・Ｓ２・Ｓ３）を後方から順に第一スリット（Ｓ１）、第二スリット（Ｓ２）、第三スリット（Ｓ３）と規定し、前記ベルト（８）の一端部（８ａ）を第一スリット（Ｓ１）、第二スリット（Ｓ２）、及び第三スリット（Ｓ３）に順次挿通するとともに、再び第一スリット（Ｓ１）に逆向きに挿通して構成したことを特徴とするベルト締結具。
【考案の詳細な説明】
【技術分野】
【０００１】  本考案は、多数の業務用ＬＰガス容器等（以下、単にガス容器という）をひとまとめにして縛り付けるのに便利な業務用のベルト締結具に関する。
【背景技術】
【０００２】  近年地震や台風等の自然災害が多発しているが、例えばＬＰガスステーション等において多数の業務用ガス容器が転倒・散乱し、それにより事故が生ずることになる。このような状況を回避するために、行政側からも多数の業務用ガス容器をベルト締結具でひとまとめにして縛り付けておくことが求められる。【０００３】  この種のベルト締結具は例えば本出願人により提供されている。それは特許文献１に示すもの（以下「従来例」という）で、例えば図３中で示すように、長尺のベルト８で多数の業務用ガス容器１０をひとまとめにして縛り付け、その長尺のベルト８の両端部８ａ・８ｂにそれぞれ締結具７ａ・７ｂを設け、一方の締結具７ａと他方の締結具７ｂとを着脱自在に連結するように構成してある。【特許文献１】実用新案登録第３１７３４７９号
【考案の開示】
【考案が解決しようとする課題】
【０００４】  上記従来例では、以下のような不都合がある。  長尺のベルト８で多数の業務用ガス容器１０をひとまとめにして縛り付ける際に、そのベルト８の一端部８ａを持って多数の業務用ガス容器１０の周りを一周すると、そのベルト８に引きつられてそのベルトの他端部８ｂが移動する。つまり、二人掛りで多数の業務用ガス容器１０の縛り付け作業をすることが必要となる。【０００５】  本考案は上記のような難点を解消するためになされたもので、長尺のベルトで多数の業務用ガス容器をひとまとめにして縛り付ける作業を一人でも可能なベルト締結具を提供することをその目的とする。
【課題を解決するための手段】
【０００６】  本考案は前記課題を解決するものとして以下のように構成される。  即ち、本考案のベルト締結具１は、多数の業務用ガス容器１０をひとまとめにして縛り付けるための長尺ベルト８と、前記長尺ベルト８の両端部８ａ・８ｂにそれぞれ付設され、当該長尺ベルト８の両端部８ａ・８ｂを着脱可能に連結する一対の連結具７ａ・７ｂと、を備えるベルト締結具１において、前記長尺ベルト８の一端部８ｂに付設され、当該長尺ベルト８の一端部８ｂを前記業務用ガス容器１０のバルブ部分１１に連結する連結ワイヤ９を備えることを特徴とするものである。【０００７】  また、本考案の他の特徴は、上記特徴構成に以下の構成を付加したものである。  即ち、前記一対の連結具７ａ・７ｂのうち、一方の連結具７ａは鉤部３ａを備え、他方の連結具７ｂは当該鉤部７ａが係合する係合孔３ｂを備えることを特徴とするものである。【０００８】  本考案はさらに以下の特徴構成を備えるものである。  即ち、少なくとも一方の連結具７ａは三つのスリット状長孔Ｓ１・Ｓ２・Ｓ３を備え、それらのスリット状長孔Ｓ１・Ｓ２・Ｓ３を後方から順に第一スリットＳ１、第二スリットＳ２、第三スリットＳ３と規定し、前記ベルト８の一端部を第一スリットＳ１、第二スリットＳ２、及び第三スリットＳ３に順次挿通するとともに、再び第一スリットＳ１に逆向きに挿通して構成したことを特徴とするものである。
【考案の効果】
【０００９】  本考案のベルト締結具によれば、前記長尺ベルト８の一端部に付設された連結ワイヤ９を備えることから、その連結ワイヤ９をガス容器１０のバルブ部分１１に連結することで長尺ベルト８の一端部とガス容器１０とを連結する。これにより長尺のベルト８で多数の業務用ガス容器１０をひとまとめにして縛り付ける際に、そのベルトの一端部を持って多数の業務用ガス容器の周りを一周しても、そのベルトに引きつられてそのベルトの他端部が移動することはない。つまり、長尺のベルト８で多数の業務用ガス容器１０をひとまとめにして縛り付ける作業を一人でも可能になる。【００１０】  本考案の付加構成によれば、一対の連結具７ａ・７ｂのうち、一方の連結具７ａは鉤部３ａを備え、他方の連結具７ｂは当該鉤部３ａが係合する係合孔３ｂを備えることから、前記係合孔３ｂに前記鉤部３ａを係合させるだけで一対の連結具７ａ・７ｂをワンタッチで連結することができる。【００１１】  本考案のさらに別の付加構成によれば、少なくとも一方の連結具７ａは三つのスリット状長孔Ｓ１・Ｓ２・Ｓ３を備え、長尺ベルト８の一端部８ａを第一スリットＳ１、第二スリットＳ２、及び第三スリットＳ３に順次挿通する際に長尺ベルト８の長さを調節する。そして再び第一スリットＳ１に長尺ベルト８の一端部８ａを逆向きに挿通することにより、緩むことなく多数の業務用ガス容器１０をひとまとめにして強固に縛り付けることができる。これにより実際の作業において至便となる。
【考案を実施するための最良の形態】
【００１２】  以下、本考案の好ましい実施形態について添付図面を参照しながら詳細に説明する。なお、以下の実施形態では、技術的に好ましい種々の部材が付加されているが、本考案の技術的範囲は、以下の説明において特に限定する旨の記載がない限り、これらの態様に限られるものではない。【００１３】  図１は本考案の第１の実施形態に係るベルト締結具を示し、同図（Ａ）はそのベルト締結具の要部の斜視図、同図（Ｂ）はその要部の横断平面図である。このベルト締結具１は、例えばＬＰガスステーション等において、多数の業務用ガス容器１０の転倒・散乱を防ぐために、それらの業務用ガス容器１０をひとまとめにして縛り付けるのに使用されることを意図して制作されたものであるが、その用途はＬＰガス容器に限るものではない。【００１４】  このベルト締結具１は、長尺ベルト８と、この長尺ベルト８の両端部にそれぞれ付設され、相互に着脱自在に構成された一対の連結具７ａ・７ｂと、他方の連結具７ｂと業務用ガス容器１０のバルブ部分１１とを連結する連結ワイヤ９とを備えている。上記連結ワイヤ９はその一端部にその大きさを可変とする掛け輪９ａを備え、その掛け輪９ａを業務用ガス容器１０のバルブ部分１１に引っ掛けるとともに、その他端部９ｂを後述する連結具７ｂに連結してある【００１５】  上記連結ワイヤ９をガス容器１０のバルブ部分１１に連結することで長尺ベルト８の一端部とガス容器１０とを連結することができる。これにより長尺のベルト８で多数の業務用ガス容器１０をひとまとめにして縛り付ける際に、そのベルトの一端部を持って多数の業務用ガス容器の周りを一周しても、そのベルトに引きつられてそのベルトの他端部が移動することはない。つまり、長尺のベルト８で多数の業務用ガス容器１０をひとまとめにして縛り付ける作業を一人でも可能になる。なお、上記掛け輪９ａに代えて強力な磁石を用いることにより、長尺ベルト８の一端部とガス容器１０とを連結することができる。【００１６】  上記一対の連結具７ａ・７ｂのうち、一方の連結具７ａには鉤部３ａが形成され、他方の連結具７ｂには当該鉤部３ａが係合する係合孔３ｂが形成されている。前記係合孔３ｂに前記鉤部３ａを係合させ、これとは逆に前記係合孔３ｂと前記鉤部７ａとを係合解除することができる。これにより一対の連結具７ａ・７ｂをワンタッチで連結し、連結解除することができる。【００１７】  上記各連結具７ａ・７ｂにはそれぞれ三つのスリット状長孔Ｓ１・Ｓ２・Ｓ３が形成されている。そして図１（Ｂ）に示すように、長尺ベルト８の両端部８ａ・８ｂをそれぞれ第一スリットＳ１、第二スリットＳ２、及び第三スリットＳ３に順次挿通するとともに、再び第一スリットＳ１に逆向きに挿通する。【００１８】  なお、上記第一スリットＳ１のスリット幅Ｌ１は、第二スリットＳ２のスリット幅Ｌ２及び第三スリットＳ３のスリット幅Ｌ３よりも若干広く形成されている。これは各第一スリットＳ１・Ｓ１にはそれぞれ長尺ベルト８の両端部８ａ・８ｂが二重に挿通されることとなるため、その分だけスリット幅Ｌ１を広くしたものである。【００１９】  図１（Ａ）中に示すように、長尺ベルト８の両端部８ａ・８ｂをそれぞれ矢印Ｆ・Ｆ方向へ引っ張る��とにより、多数の業務用ガス容器１０をひとまとめにして強固に縛り付けることができる。また、以上の構成は実際の作業においても至便となる。【００２０】  図２は本考案の別の実施形態に係るベルト締結具を示し、同図（Ａ）はベルト締結具の斜視図、同図（Ｂ）はそのベルト締結具の横断平面図である。ただし、この図では前記連結ワイヤの記載は省略してある。また、この実施形態では、前記一方の連結具７ｂの近傍にベルト調節具７ｃが配設されている。【００２１】  このベルト調節具７ｃはベルト挿通用の二つのスリットＳ・Ｓが形成され、このスリットＳ・Ｓに長尺ベルト８の本体部分を挿通するとともに、その一端部８ｂを重ねて挿通することにより余分の長さを調節することができる。この場合には一方の連結具７ｂには図示するように長尺ベルト８の一端部８ｂを各スリットに重ねて挿通する必要はない。上記ベルト調節具７ｃを付設することによって、緩むことなく長尺ベルト８を張ることができるからである。なお、この実施形態では、ベルトの端部８ｃを折り返して縫製してある。当該端部８ｃがベルト調節具７ｃから抜けるのを確実に防止するためである。【００２２】  上記の実施形態では、各連結具７ａ・７ｂやベルト調節具７ｃは金具で構成されているが、これらの金具に代えて高強度の強化プラスチックで構成しても良い。また、前記連結ワイヤ９に代えて他の部材（例えば紐状の部材等）で構成しても良い。【００２３】  また上記の実施形態では、一対の連結具７ａ・７ｂのうち、一方の連結具７ａが鉤部３ａを備え、他方の連結具７ｂが係合孔３ｂを備えるものについて例示したが、これに代えて両者とも鉤部３ａ・３ａを備え、それらの鉤部３ａ・３ａ同士を相互に掛け合わせることもできる。
【図面の簡単な説明】
【００２４】
【図１】は本考案の第１の実施形態に係るベルト締結具を示し、同図（Ａ）はそのベルト締結具の要部の斜視図、同図（Ｂ）はその要部の横断平面図である。
【図２】は本考案の別の実施形態に係るベルト締結具を示し、同図（Ａ）はベルト締結具の斜視図、同図（Ｂ）はそのベルト締結具の横断平面図である。
【図３】は長尺のベルトで多数の業務用ガス容器をひとまとめにして縛り付けた状態を示す平面図である。
【符号の説明】
【００２５】  １…ベルト締結具、３ａ…鉤部、３ｂ…係合孔、７ａ・７ｂ…連結具、８…長尺ベルト、８ａ・８ｂ…長尺ベルトの端部、９…連結ワイヤ、１０…業務用ガス容器、１１…業務用ガス容器のバルブ部分、Ｓ１…第一スリット、Ｓ２…第二スリット、Ｓ３…第三スリット。
【図１】
0003220644.tif 000003
【図２】
0003220644.tif 000004
【図３】
0003220644.tif 000005
【手続補正書】
【提出日】平成30年12月17日(2018.12.17)
【手続補正１】
【補正対象書類名】実用新案登録請求の範囲
【補正対象項目名】請求項２
【補正方法】変更
【補正の内容】
【請求項２】
請求項１に記載したベルト締結具において、
前記一対の連結具（７ａ・７ｂ）のうち、一方の連結具（７ａ）は鉤部（３ａ）を備え、他方の連結具（７ｂ）は当該鉤部（３ａ）が係合する係合孔（３ｂ）を備えることを特徴とするベルト締結具。